(57)【要約】【課題】人物を指定し、指定された人物が写る画像データを抽出して印刷することが可能な画像出力受付端末等を提供する。【解決手段】人物画像検出部６４は、画像選択部６３によって受け付けられた選択画像において人物画像（顔）を検出する。表示用画像抽出部６５は、人物検出部６４によって検出された複数の人物画像のうち、同一人物毎に人物画像を抽出する。表示制御部６２は、表示用画像抽出部６５で抽出された人物画像の一覧を表示する。利用者は、一覧の中から主役にする人物画像を指定する。印刷画像抽出部６７は、パラメータ設定部６６によって設定された指定の条件（抽出条件）に基づいて、利用者により指定された主役の人物画像を含む画像データを抽出する。印刷実行部６９は、印刷対象の画像データを所定位置に配した後、印刷データに変換し、印刷データの印刷を実行する。【選択図】図４
2012150626.tif 000002
【特許請求の範囲】
【請求項１】
記憶媒体または携帯端末に記憶されている画像データの入力を制御する入力制御手段と、
前記画像データに含まれる人物画像を検出する人物画像検出手段と、
前記人物画像検出手段により検出された前記人物画像の表示を制御する表示制御手段と、
前記表示制御手段により表示が制御されている前記人物画像のうち、所定の人物画像の選択を受け付ける選択手段と、
前記選択手段により選択された前記所定の人物画像を含む画像データを抽出する抽出手段と、
前記抽出手段により抽出された前記所定の人物画像を含む画像データに基づいて印刷データを生成し、印刷の実行を指示する印刷実行手段と
を備えることを特徴とする画像出力受付端末。
【請求項２】
前記人物画像検出手段により複数の前記人物画像が検出された場合、前記表示制御手段は、検出数が多い順に異なる人物画像の表示を制御する
ことを特徴とする請求項１に記載の画像出力受付端末。
【請求項３】
前記選択手段は、１または複数の前記所定の人物画像の選択を受け付ける
ことを特徴とする請求項１または請求項２に記載の画像出力受付端末。
【請求項４】
前記抽出手段は、抽出条件に基づいて前記画像データを抽出する
ことを特徴とする請求項１乃至請求項３のいずれかに記載の画像出力受付端末。
【請求項５】
前記抽出条件は、少なくとも、撮影日時、撮影条件、手振れ有無、写真タイプのうちの１つを含む
ことを特徴とする請求項４に記載の画像出力受付端末。
【請求項６】
前記写真タイプの抽出パラメータを設定する設定手段をさらに備える
ことを特徴とする請求項５に記載の画像出力受付端末。
【請求項７】
前記抽出パラメータは、集合写真の割合、風景写真の割合、および主役アップ写真の割合である
ことを特徴とする請求項６に記載の画像出力受付端末。
【請求項８】
記憶媒体または携帯端末に記憶されている画像データの入力を制御する入力制御ステップと、
前記画像データに含まれる人物画像を検出する人物画像検出ステップと、
前記人物画像検出ステップにより検出された前記人物画像の表示を制御する表示制御ステップと、
前記表示制御ステップにより表示が制御されている前記人物画像のうち、所定の人物画像の選択を受け付ける選択ステップと、
前記選択ステップにより選択された前記所定の人物画像を含む画像データを抽出する抽出ステップと、
前記抽出ステップにより抽出された前記所定の人物画像を含む画像データに基づいて印刷データを生成し、印刷の実行を指示する印刷実行ステップと
を含むことを特徴とする画像出力受付方法。
【請求項９】
記憶媒体または携帯端末に記憶されている画像データの入力を制御する入力制御ステップと、
前記画像データに含まれる人物画像を検出する人物画像検出ステップと、
前記人物画像検出ステップにより検出された前記人物画像の表示を制御する表示制御ステップと、
前記表示制御ステップにより表示が制御されている前記人物画像のうち、所定の人物画像の選択を受け付ける選択ステップと、
前記選択ステップにより選択された前記所定の人物画像を含む画像データを抽出する抽出ステップと、
前記抽出ステップにより抽出された前記所定の人物画像を含む画像データに基づいて印刷データを生成し、印刷の実行を指示する印刷実行ステップと
を含む処理をコンピュータに実行させるためのプログラム。
【発明の詳細な説明】
【技術分野】
【０００１】
本発明は、利用者が所有する記憶媒体や携帯端末などに記憶されている画像データの印刷を受け付ける画像出力受付端末に関し、特に、人物を指定し、指定された人物が写る画像データを抽出して印刷することが可能な画像出力受付端末等に関するものである。
【背景技術】
【０００２】
近年、利用者が所有する記憶媒体に記憶されている画像データの印刷を行う画像プリントシステムが広く普及している。利用者は、画像プリントシステムの画像出力受付端末を操作することにより、デジタルカメラ等で撮影した画像を印刷することができる。
【０００３】
利用者は、膨大な量の画像データの中から所望の画像データを選び出し、それを印刷注文する操作は煩雑になりがちである。
【０００４】
例えば、特許文献１には、特定人物が登場するコンテンツファイルをサーチする技術が提案されている。
【先行技術文献】
【特許文献】
【０００５】
【特許文献１】特開２０１０−３９７２４号公報
【発明の概要】
【発明が解決しようとする課題】
【０００６】
特許文献１の技術では、コンテンツファイルの管理に関するものであり、印刷に関する技術については開示も示唆もなされていない。
【０００７】
本発明は、前述した問題点に鑑みてなされたもので、その目的とすることは、人物を指定し、指定された人物が写る画像データを抽出して印刷することが可能な画像出力受付端末および方法、並びに、そのプログラムである。
【課題を解決するための手段】
【０００８】
前述した目的を達成するために、第１の発明は、記憶媒体または携帯端末に記憶されている画像データの入力を制御する入力制御手段と、前記画像データに含まれる人物画像を検出する人物画像検出手段と、前記人物画像検出手段により検出された前記人物画像の表示を制御する表示制御手段と、前記表示制御手段により表示が制御されている前記人物画像のうち、所定の人物画像の選択を受け付ける選択手段と、前記選択手段により選択された前記所定の人物画像を含む画像データを抽出する抽出手段と、前記抽出手段により抽出された前記所定の人物画像を含む画像データに基づいて印刷データを生成し、印刷の実行を指示する印刷実行手段とを備えることを特徴とする画像出力受付端末である。第１の発明によって、特定の人物を含む画像データを抽出して印刷することができる。
【０００９】
前記人物画像検出手段により複数の前記人物画像が検出された場合、前記表示制御手段は、検出数が多い順に異なる人物画像の表示を制御する。
これにより、主役となる人物を簡単に選択することができる。
【００１０】
前記選択手段は、１または複数の前記所定の人物画像の選択を受け付ける。
これにより、複数の人物を主役として選択することができる。
【００１１】
前記抽出手段は、抽出条件に基づいて前記画像データを抽出する。
これにより、プリント物として好適な画像データを効率良く抽出することができる。
【００１２】
前記抽出条件は、少なくとも、撮影日時、撮影条件、手振れ有無、写真タイプのうちの１つを含む。
これにより、撮影時刻が近い画像データの複数枚選択、オート（自動）撮影の画像データの選択、手振れ有りの画像データの選択を避けることができる。
【００１３】
前記写真タイプの抽出パラメータを設定する設定手段をさらに備える。
これにより、利用者は、自分好みに画像データの抽出条件を設定することができる。
【００１４】
前記抽出パラメータは、集合写真の割合、風景写真の割合、および主役アップ写真の割合である。
これにより、利用者は、集合写真、風景写真、主役アップ写真の割合を設定することができる。
【００１５】
第２の発明は、記憶媒体または携帯端末に記憶されている画像データの入力を制御する入力制御ステップと、前記画像データに含まれる人物画像を検出する人物画像検出ステップと、前記人物画像検出ステップにより検出された前記人物画像の表示を制御する表示制御ステップと、前記表示制御ステップにより表示が制御されている前記人物画像のうち、所定の人物画像の選択を受け付ける選択ステップと、前記選択ステップにより選択された前記所定の人物画像を含む画像データを抽出する抽出ステップと、前記抽出ステップにより抽出された前記所定の人物画像を含む画像データに基づいて印刷データを生成し、印刷の実行を指示する印刷実行ステップとを含むことを特徴とする画像出力受付方法である。
【００１６】
第３の発明は、記憶媒体または携帯端末に記憶されている画像データの入力を制御する入力制御ステップと、前記画像データに含まれる人物画像を検出する人物画像検出ステップと、前記人物画像検出ステップにより検出された前記人物画像の表示を制御する表示制御ステップと、前記表示制御ステップにより表示が制御されている前記人物画像のうち、所定の人物画像の選択を受け付ける選択ステップと、前記選択ステップにより選択された前記所定の人物画像を含む画像データを抽出する抽出ステップと、前記抽出ステップにより抽出された前記所定の人物画像を含む画像データに基づいて印刷データを生成し、印刷の実行を指示する印刷実行ステップとを含む処理をコンピュータに実行させるためのプログラムである。
【発明の効果】
【００１７】
本発明により、人物を指定し、指定された人物が写る画像データを抽出して印刷することが可能な画像出力受付端末および方法、並びに、そのプログラムを提供することができる。
【図面の簡単な説明】
【００１８】
【図１】本発明の実施の形態に係る画像出力受付端末の外観斜視図である。
【図２】画像出力受付端末のハードウエアの構成例を示すブロック図である。
【図３】製本機のハードウエアの構成例を示すブロック図である。
【図４】画像出力受付端末１のコンピュータの機能構成例を示すブロック図である。
【図５】画像出力受付端末の処理を説明するフローチャートである。
【図６】図５に続くフローチャートである。
【図７】主役選択画面の表示例を示す図である。
【図８】画像出力受付端末の変形例の処理を説明するフローチャートである。
【図９】主役選択画面の他の表示例を示す図である。
【発明を実施するための形態】
【００１９】
以下、図面に基づいて、本発明の実施形態を詳細に説明する。
【００２０】
図１は、本発明の実施の形態に係る画像出力受付端末１の外観斜視図である。
【００２１】
画像出力受付端末１は、店頭において、入力メディア（記憶媒体）や携帯端末に記憶されている画像データの印刷を受け付け、印刷を行う端末である。画像出力受付端末１は、予め画像データが記憶された入力メディアや携帯端末（いずれも不図示）から画像データを取得し、内部に保持する。
【００２２】
入力メディアは、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart Media（登録商標）、MEMORY STICK（登録商標）、USB（Universal Serial Bus）メモリ等である。
【００２３】
携帯端末は、例えば、スマートフォン、iPhone（登録商標）、カメラ付き携帯電話機、iPad（登録商標）、携帯型パーソナルコンピュータ等である。通信方法は、例えば、blue
tooth（登録商標）、IR（赤外線通信）等である。
【００２４】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示を受け付ける。利用者は、タッチパネル付ディスプレイ１１を介して、印刷注文する画像データの選択、画像データの画像処理の指示等を行う。
【００２５】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSB（Universal Serial Bus）ポートなど）が１箇所にまとめて配置されている。
【００２６】
画像出力受付端末１の下段部の前面板１４には、レシート取出口１５、硬貨投入口１６および紙幣挿入口１７のような料金投入口、つり銭返却口１８、プリント物取出口１９、ドア開閉キー２０、メンテナンスキー２１等が設けられている。
【００２７】
レシート取出口１５、硬貨投入口１６、紙幣挿入口１７、つり銭返却口１８は、利用者によるプリント物の注文内容に応じた入金を要求する課金手段として機能する。利用者は、硬貨投入口１６に硬貨を投入したり、紙幣挿入口１７に紙幣を挿入したりすることにより、プリント物の料金を支払う。つり銭がある場合には、つり銭返却口１８から放出される。また、料金徴収後、徴収金額や注文内容等が印刷されたレシートがレシート取出口１５から放出される。
【００２８】
プリント物取出口１９には、画像出力受付端末１の筐体内に設置されるプリンタにより印刷されたプリント物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００２９】
次に、画像出力受付端末１の基本的動作について説明する。
【００３０】
画像出力受付端末１は、入力メディアから読み込んだ画像データを液晶ディスプレイ等のタッチパネル付ディスプレイ１１に表示する。利用者は、タッチパネル付ディスプレイ１１に設けられたタッチパネルにより、入力メディアや携帯端末等から読み込んだ画像の中から印刷注文する画像を選択する。
【００３１】
本実施の形態において、印刷注文の内容には、「プリント」と「フォトブック」の２種類がある。「プリント」は、熱転写方式などで片面または両面に印画した用紙を出力する（通常の画像印刷を行う）ものである。「フォトブック」は、画像やテキストを熱転写方式などで片面または両面に印画した複数の用紙を用いて製本を行い、製本物を出力（提供）するものである。
【００３２】
利用者は、タッチパネル付ディスプレイ１１に表示された画面上で、印刷注文する画像を選択した後、印刷の実行を指示すると、画像出力受付端末１内のコンピュータが内部プリンタに画像データを転送する。
【００３３】
画像出力受付端末１は、利用者にプリント物の印刷注文に応じた料金を算出、表示し、必要に応じてレシートプリンタによりレシート（引換券）を発行し、利用者に支払いを要求する。画像出力受付端末１は、課金手段により利用者の入金が完了すると、印刷データの印刷を開始する。印刷されたプリント物は、プリント物取出口１９から排出され、利用者に提供される。
【００３４】
また画像出力受付端末１は、「フォトブック」を作成する場合、印刷されたプリント物を内部製本機に搬送し、プリント物を所定の製本方法で製本する。製本されたフォトブックは、図示せぬフォトブック取出口から排出され、利用者に提供される。
更に、本発明は、その場でプリント物を受け取る場合に限られず、いわゆる「オンライン製本」にも適用可能である。「オンライン製本」とは、利用者などが所有するコンピュータから同様の手順によってプリント物の発注を行い、業者がプリント物を製本し、郵送によってプリント物を受け取るというものである。本発明を「オンライン製本」に適用する場合、後述する図５、図６に示す処理を実行する為のプログラムを、利用者などが所有する汎用のコンピュータにインストールすることによって同様に実現することができる。すなわち、画像出力受付端末とは、図５、図６に示す処理を実行する為のプログラムがインストールされた汎用のコンピュータも含むものである。
【００３５】
なお、画像出力受付端末１は、料金算出、レシート（引換券）の発行を行うだけでなく、課金機を装備しているため、利用者に入金を要求して現金による課金処理を行うようにすることもできる。
【００３６】
図２は、画像出力受付端末１のハードウエアの構成例を示すブロック図である。
【００３７】
コンピュータ３０は、制御部３１、記憶部３２、入出力部３３、通信部３４等から構成され、各種メディア読取部４１、通信部４２、シャッタ４３、モニタ４４、コインメック４５、ビルバリ４６、レシートジャーナル処理部４７、およびプリンタ４８、および製本機５０を制御する。
【００３８】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００３９】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００４０】
プログラムのコードは、制御部３１により必要に応じて読み出され、RAMに移され、CPUに読み出されて各種機能として実行される。
【００４１】
入出力部３３は、記憶部３２に格納されているプログラム等の更新や、画像出力受付端末１の設定等を行うメンテナンス時に用いられる。
【００４２】
通信部３４は、通信制御装置、通信ポート等を有し、画像出力受付端末１と図示せぬネットワーク間の通信を媒介する通信インターフェースである。通信部３４は、ネットワークを介して画像出力受付端末１と他の外部装置間の通信制御を行う。
【００４３】
各種メディア読取部４１は、メディア投入口１２の各メディアの挿入口に対応して画像出力受付端末１内部に設けられ、挿入された入力メディアに予め記憶されている画像データを読み込む。通信部４２は、通信口１３の各通信ポートに対応して設置されており、通信中の携帯端末に予め記憶されている画像データを読み込む。
【００４４】
シャッタ４３は、メディア投入口１２の各挿入口に設けられ、入力メディアの挿入口を開閉し、読取処理の最中や、課金処理が完了するまで、入力メディアを取り出せないようにする。モニタ４４は、タッチパネル付ディスプレイ１１である。
【００４５】
コインメック４５、ビルバリ４６、レシートジャーナル処理部４７は、課金機能の役割を果たす。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。
【００４６】
レシートジャーナル処理部４７は、レシート取出口１５に対応して画像出力受付端末１内部に設けられ、利用者の徴収金額や注文内容に応じたレシートを印刷する。
【００４７】
プリンタ４８は、プリント物取出口１９に対応して画像出力受付端末１内部に設けられ、プリント物を印刷する。プリンタ４８は、画像データを印刷する高解像度カラープリンタであり、熱転写プリンタあるいはインクジェット型など、プリンタの方式は特に問わない。印刷を行うべく紙は、シート状またはロール状である。
【００４８】
製本機５０は、ローラや搬送路等を有し、プリンタ４８で印刷されたプリント物を所定の製本方法で製本しフォトブック等の製本物を作成して出力する。
【００４９】
なお、プリンタ４８は、画像出力受付端末１内部に設けられ、そこで印刷が行われるが、これに限らず、例えば、通信部３４およびネットワークを介して接続されたプリンタサーバに画像データを転送し、そこで印刷を行わせることも勿論可能である。また、製本機５０も、画像出力受付端末１内部に設けられ、そこで製本が行われるが、これに限らず、例えば、図示せぬ搬送路を介して接続された外部の製本機にプリント物を搬送し、そこで製本を行わせるようにしてもよい。すなわち、画像出力受付端末１と、プリンタ４８、製本機５０はそれぞれ別体であってもよい。
【００５０】
図３は、製本機５０のハードウエアの構成例を示すブロック図である。
【００５１】
製本機５０は、プリント物を折りたたむ折り機構５１、プリント物をホチキスや製本テープ、背表紙、糊等で綴じる綴じ機構５２、プリント物を化粧断裁する裁断機構５３等を備えるものを用いることができる。これらの機構としては、既知のものを使用できる。フォトブックの製本方法の詳細については、特開２０１０−１３７５６４号公報等に記載されている通り公知の技術である。
【００５２】
図４は、画像出力受付端末１内のコンピュータ３０の機能構成例を示すブロック図である。図４に示す機能部のうちの少なくとも一部は、図３の制御部３１により画像印刷プログラムが実行されることによって実現される。
【００５３】
入力制御部６１は、各種メディア読取部４１で読み込まれた画像データや通信部４２で読み込まれた画像データの入力を制御する。
【００５４】
表示制御部６２は、入力制御部６１に入力された画像データの一覧表示画面、画像データの印刷サービスを利用者に提供するための画像出力サービス案内画面、表示用画像抽出部６５によって抽出された人物画像の一覧表示画面等の各種画面のモニタ４４上への表示を制御する。
【００５５】
画像選択部６３は、モニタ４４に表示されている画像データの一覧表示画面において、利用者による画像の選択を受け付ける。
【００５６】
人物画像検出部６４は、画像選択部６３によって受け付けられた選択画像において人物画像（顔）を検出し、検出した人物画像の特徴量を取得する。ここで、人物画像検出方法として、例えば、顔の輝度分布情報が記録されているテンプレートと実画像とのマッチングによる顔検出方法、画像に含まれる肌色の部分や人間の顔の特徴量等に基づいた顔検出方法等を用いることができる。この特徴量の詳細は、例えば、特開２０１０−３９７２４号公報等に記載されている通り、この分野の当業者には周知であるため説明を省略する。また、後述するように、集合写真、風景写真、及び、主役アップ写真を区別する為、人物画像検出部６４は、複数の人物画像（顔）が含まれる画像の写真タイプを「集合写真」、人物画像（顔）が一つも含まれない画像の写真タイプを「風景写真」、面積が大きい人物画像（顔）が一つ含まれる画像の写真タイプを「主役アップ写真」と設定する。
【００５７】
表示用画像抽出部６５は、人物検出部６４によって検出された複数の人物画像のうち、同一人物毎に人物画像を抽出する。
【００５８】
パラメータ設定部６６は、印刷画像抽出部６７で抽出する画像について指定の条件（抽出条件）を予め設定する。指定の条件としては、例えば、撮影日時、撮影条件、手振れ有無、写真タイプである。これらの条件が設定されることにより、印刷画像抽出部６７は、撮影時刻が近い画像を複数枚選択しない、連写撮影で撮影された複数画像の全ての画像を選択しない、オート（自動）で撮影された画像（こだわりのない画像）を選択しない、手振れがある画像を選択しないようにすることができる。
【００５９】
またパラメータ設定部６６は、モニタ４４に表示されているパラメータ設定画面上で、利用者によって入力された写真タイプのパラメータ情報を設定する。例えば、写真タイプには、集合写真、風景写真、主役アップ写真があり、利用者によって抽出割合が設定される。
【００６０】
より詳細には、パラメータ設定部６６は、予め、「多い」＝３、「普通」＝２、「少ない」＝１と値を決めておき、利用者が、モニタ４４に表示されるパラメータ設定画面上で、集合写真、風景写真、主役アップ写真のそれぞれに対して値を設定することができるようにする。そして、集合写真の割合＝集合写真の値／（集合写真の値＋風景写真の値＋主役アップ写真の値）、風景写真の割合＝風景写真の値／（集合写真の値＋風景写真の値＋主役アップ写真の値）、主役アップ写真の割合＝主役アップ写真の値／（集合写真の値＋風景写真の値＋主役アップ写真の値）を算出し、写真タイプの抽出割合を設定する。
【００６１】
印刷画像抽出部６７は、パラメータ設定部６６によって設定された指定の条件（抽出条件）に基づいて、入力制御部６１に入力された画像データの中から、利用者により指定された主役の人物画像を含む画像データを抽出する。
【００６２】
課金部６８は、印刷注文に応じた料金を算出し、その算出結果をモニタ４４に表示させ、利用者に支払いを要求する。また課金部６８は、コインメック４５やビルバリ４６の金銭の入出力を管理する。
【００６３】
印刷実行部６９は、課金部６８によって課金処理が完了すると、印刷対象の画像データを所定位置に配した後、印刷データに変換し、印刷データの印刷を実行する。
【００６４】
次に、図５および図６のフローチャートを参照して、画像出力受付端末１の処理について説明する。この処理は、画像出力受付端末１が起動中、常に実行されているものである。なお、画像出力受付端末１の起動中に表示される各画面を総称して、本発明では「画像出力サービス案内画面」と呼ぶ。
【００６５】
ステップＳ１において、画像出力受付端末１の表示制御部６２は、タッチパネル付ディスプレイ１１（モニタ４４）にサービス内容、手順、案内等を示すメニュー画面を表示し、利用者に各種機能を選択させる。例えば、利用者は、タッチパネル付ディスプレイ１１に表示されたメニュー画面から、入力メディアの種別や注文内容（プリントまたはフォトブック）等を選択し、案内に従って、所定のメディア投入口１２に入力メディアを挿入する。
【００６６】
ステップＳ２において、画像出力受付端末１の入力制御部６１は、各種メディア読取部４１によって読み取らせた入力メディアに記憶されている画像データを読み込む。
【００６７】
ステップＳ３において、画像出力受付端末１の表示制御部６２は、ステップＳ２の処理で読み込んだ画像データを日付毎に分類し、その画像フォルダの一覧をタッチパネル付ディスプレイ１１に表示する。利用者は、印刷注文する画像フォルダを選択することで、次の画像出力サービス案内画面へと進むことができる。
【００６８】
ステップＳ４において、画像出力受付端末１の画像選択部６３は、利用者による画像フォルダの選択を受け付けたか否かを判定し、画像フォルダの選択を受け付けるまで待機する。そして、ステップＳ４において、画像出力受付端末１の画像選択部６３は、画像フォルダの選択を受け付けたと判定した場合、ステップＳ５に進む。
【００６９】
ステップＳ５において、画像出力受付端末１の人物画像検出部６４は、画像選択部６３によって受け付けられた選択画像フォルダ内の画像データにおいて人物画像（顔）を検出し、検出した人物画像の特徴量を取得する。また画像出力受付端末１の表示用画像抽出部６５は、人物画像検出部６４で検出された複数の人物画像のうち、同一人物毎に人物画像を抽出する。画像出力受付端末１の表示制御部６２は、表示用画像抽出部６５によって抽出された人物画像の代表画像を、検出数の多い順に並び変えて、その一覧を主役選択画面としてタッチパネル付ディスプレイ１１に表示する。
【００７０】
図７は、主役選択画面１００の表示例を示す図である。図７に示すように、主役選択画面１００には、表示用画像抽出部６５によって抽出された人物画像Ｐ１〜Ｐ８が、検出数の多い順に表示されている。また主役選択画面１００には、２人目の主役の画像を選択するための「２人目の主役」ボタン１０１、選択した主役を含む画像を抽出するための「画像選択」ボタン１０２も表示されている。
【００７１】
利用者は、図７に示す主役選択画面１００において、印刷注文する主役の画像を選択し、「画像選択」ボタン１０２を押下することで、次の画像出力サービス案内画面へと進むことができる。また利用者は、印刷注文する主役の画像を選択し（１人目の主役を選択し）、「２人目の主役」ボタン１０１を押下することで、２人目の主役選択画面に進むことができる。
【００７２】
なお、主役選択画面１００に表示される人物画像Ｐ１〜Ｐ８は、異なる人物画像とされているが、同一人物が異なる人物として検出され表示されることもある。この場合には、利用者は、異なる人物として検出された人物画像を全て選択すれば良い。
【００７３】
また「２人目の主役」ボタン１０１が押下された場合、図７に示した主役選択画面と同様の画面（図示せぬ）がさらに表示されるが、「２人目の主役」ボタン１０１に代わり、「３人目の主役」ボタンが表示される。このように、利用者は、複数の主役を選択することができる。
【００７４】
図５の説明に戻る。ステップＳ６において、画像出力受付端末１の画像選択部６３は、利用者によって主役にする人物画像が選択されたか否かを判定し、主役にする人物画像が選択されるまで待機する。そして、ステップＳ６において、画像出力受付端末１の画像選択部６３は、主役にする人物画像が選択されたと判定した場合、ステップＳ７に進む。
【００７５】
ステップＳ７において、画像出力受付端末１の画像選択部６３は、主役選択の終了が指示されたか否かを判定し、主役選択の終了が指示されていないと判定した場合、つまり、図７に示した主役選択画面１００において、「２人目の主役」ボタン１０１が押下された場合、ステップＳ６に戻り、上述した処理を繰り返し実行する。つまり、ステップＳ６とＳ７の処理によって、１または複数の主役の画像が選択されることになる。
【００７６】
ステップＳ７において、画像出力受付端末１の画像選択部６３は、主役選択の終了が指示されたと判定した場合、つまり、１または複数の主役の画像が選択され、「画像選択」ボタン１０２が押下された場合、ステップＳ８に進む。ステップＳ８において、画像出力受付端末１の表示制御部６２は、抽出画像のパラメータを設定する画面をタッチパネル付ディスプレイ１１に表示する。
【００７７】
利用者は、抽出画像のパラメータ設定画面上で、集合写真、風景写真、主役アップ写真のそれぞれに対して、「多い」＝３、「普通」＝２、「少ない」＝１のいずれかの値を設定することができる。また、利用者は、画像出力受付端末１に自動的にパラメータ設定を行わせる設定値である「お任せ」も指定することができる。この場合、画像出力受付端末１は、デフォルト値として予め決められている抽出割合を設定したり、ランダムに抽出割合を設定したり、集合写真、風景写真、主役アップ写真の枚数に応じて抽出割合を設定したりする。
【００７８】
ステップＳ９において、画像出力受付端末１のパラメータ設定部６６は、利用者により写真タイプの抽出割合が設定されたか否かを判定し、利用者により写真タイプの抽出割合、又は、「お任せ」が設定されるまで待機する。
【００７９】
ステップＳ９において、画像出力受付端末１のパラメータ設定部６６は、利用者により写真タイプの抽出割合が設定されたと判定した場合、ステップＳ１０に進み、利用者により設定された抽出画像の割合を決定する。
【００８０】
例えば、利用者によって、集合写真の値＝１、風景写真の割合＝２、主役アップ写真の値＝３に設定されたとすると、抽出画像の割合は下記のようになる。
集合写真の割合＝１／（１＋２＋３）＝１／６
風景写真の割合＝２／（１＋２＋３）＝１／３
主役アップ写真の割合＝３／（１＋２＋３）＝１／２
【００８１】
ステップＳ１１において、画像出力受付端末１の表示制御部６２は、ステップＳ１で表示させたメニュー画面において利用者により入力された注文内容がフォトブックであるか否かを判定し、注文内容がフォトブックであると判定した場合、図６のステップＳ１２に進む。
【００８２】
ステップＳ１２において、画像出力受付端末１の印刷画像抽出部６７は、ステップＳ６で選択された主役の人物画像を含む画像データの中から、パラメータ設定部６６によって設定された下記の指定の条件（抽出条件）に合う画像データを抽出する。
１．撮影時刻が近い画像を複数枚選択しない
２．連写撮影で撮影された画像はいずれか１枚に絞る
３．撮影条件を設定した画像を選択する（オート撮影の画像は選択しない）
４．手振れがある画像は選択しない（手振れの有無は画像解析を用いる）
【００８３】
ステップＳ１２で画像データが抽出された後、ステップＳ１３において、画像出力受付端末１の表示制御部６２は、フォトブックの厚さを選択する画面を表示する。
【００８４】
利用者は、厚さ選択画面上で、「おススメ版（例えば、１８頁）」、「ライト版（例えば、１０頁）」、「ヘビー版（３６頁）」のいずれかを指定（選択）することができる。なお、厚さ選択画面上で、１頁内に配置する画像枚数やレイアウト等を設定することもできる。
【００８５】
ステップＳ１４において、画像出力受付端末１の入力制御部６１は、フォトブックの厚さが指定されたか否かを判定し、フォトブックの厚さが指定されるまで待機する。そして、ステップＳ１４において、画像出力受付端末１の入力制御部６１は、フォトブックの厚さが指定されたと判定した場合、ステップＳ１５に進む。
【００８６】
ステップＳ１５において、画像出力受付端末１の印刷画像抽出部６７は、ステップＳ１４で指定されたフォトブックの厚さ（頁数および１頁内の画像枚数）と、ステップＳ１０で決定された抽出画像（写真タイプ）の割合に基づいて、ステップＳ１２で抽出した画像データから、印刷する画像データを絞り込む。
【００８７】
例えば、指定されたフォトブックの厚さ（頁数および１頁内の画像枚数）から総プリント枚数を決定し、ステップＳ１２で抽出した画像データのうち、ステップＳ１０で決定された抽出画像の割合（上記の例では、集合写真の割合＝全体数の１／６、風景写真の割合＝全体数の１／３、主役アップ写真の割合＝全体数の１／２）に基づいて絞り込む。このとき、ステップＳ１２で抽出した画像データが「集合写真の割合×総プリント枚数」、「風景写真の割合×総プリント枚数」、および「主役アップ写真の割合×総プリント枚数」の合計よりも少ない場合、他の画像データを任意に自動選択すれば良い。
【００８８】
ステップＳ１６において、画像出力受付端末１の課金部６８は、利用者に対して、印刷注文するフォトブックの冊数の指定等を促す。例えば、利用者は、タッチパネル付ディスプレイ１１に表示された注文画面から、作成するフォトブックの冊数を入力する。また画像出力受付端末１の課金部６８は、利用者からの印刷注文に対する代金の合計金額を算出し、タッチパネル付ディスプレイ１１に算出結果（印刷代金）を表示する。
【００８９】
ステップＳ１７において、画像出力受付端末１の印刷実行部６９は、印刷対象の画像データを印刷データに変換し、印刷データをプリンタ４８で印刷させる。印刷されたプリント物は、製本機５０に搬送され、所定の製本方法で製本され、図示せぬフォトブック取出口から排出され、フォトブックとして利用者に提供される。
【００９０】
そして、フォトブック作成終了後、画像出力受付端末１の制御部３１は、図５のステップＳ１に戻り、メニュー画面を再び表示し、待機状態となる。
【００９１】
なお、ステップＳ１５の処理の後、画像出力受付端末１が指定の条件に基づいて画像抽出し作成したフォトブックの印刷プレビュー画面（図示せず）をタッチパネル付ディスプレイ１１に表示させるようにしてもよい。これにより、利用者は、印刷注文する前にフォトブックの印刷イメージを掴むことができ、必要に応じて画像データの差し替えやレイアウト変更などを行うこともできる。
【００９２】
一方、ステップＳ１１において、画像出力受付端末１の表示制御部６２は、注文内容がフォトブックではない、つまり通常のプリントであると判定した場合、図６のステップＳ１８に進む。ステップＳ１８において、画像出力受付端末１の印刷画像抽出部６７は、ステップＳ１２の処理と同様に、ステップＳ６で選択された主役の人物画像を含む画像データの中から、パラメータ設定部６６によって設定された指定の条件（抽出条件）に合う画像データを抽出する。
【００９３】
ステップＳ１９において、画像出力受付端末１の表示制御部６２は、プリントの量を選択する画面を表示する。
【００９４】
利用者は、プリント量選択画面上で、印刷注文したいプリント枚数を指定（選択）することができる。なお、基本的には１頁に１画像であるが、プリント量選択画面上で、１頁内に複数の画像配置を設定したりすることもできる。
【００９５】
ステップＳ２０において、画像出力受付端末１の入力制御部６１は、プリント量が指定されたか否かを判定し、プリント量が指定されるまで待機する。そして、ステップＳ２０において、画像出力受付端末１の入力制御部６１は、プリント量が指定されたと判定した場合、ステップＳ２１に進む。
【００９６】
ステップＳ２１において、画像出力受付端末１の印刷画像抽出部６７は、ステップＳ２０で指定されたプリント量と、ステップＳ１０で決定された抽出画像（写真タイプ）の割合に基づいて、ステップＳ１２で抽出した画像データから、印刷する画像データを絞り込む。
【００９７】
ステップＳ１６において、画像出力受付端末１の課金部６８は、利用者に対して、印刷注文する画像の印刷枚数の指定等を促す。例えば、利用者は、タッチパネル付ディスプレイ１１に表示された注文画面から、印刷する画像の印刷枚数を入力する。また画像出力受付端末１の課金部６８は、利用者からの印刷注文に対する代金の合計金額を算出し、タッチパネル付ディスプレイ１１に算出結果（印刷代金）を表示する。
【００９８】
ステップＳ１７において、画像出力受付端末１の印刷実行部６９は、印刷対象の画像データを印刷データに変換し、印刷データをプリンタ４８で印刷させる。印刷されたプリント物は、プリント物取出口１９から排出され、利用者に提供される。
更に、前述したように、本発明は、その場でプリント物を受け取る場合に限られず、「オンラインプリント」にも適用可能である。「オンラインプリント」の場合、利用者が、自宅などに設置されているコンピュータから同様の手順によってプリント物の発注を行い、業者がプリント物とし、郵送によってプリント物が提供される。
【００９９】
そして、印刷終了後、画像出力受付端末１の制御部３１は、図５のステップＳ１に戻り、メニュー画面を再び表示し、待機状態となる。
【０１００】
なお、ステップＳ２１の処理の後、画像出力受付端末１が指定の条件に基づいて画像抽出し作成したプリント物の印刷プレビュー画面（図示せず）をタッチパネル付ディスプレイ１１に表示させるようにしてもよい。これにより、利用者は、印刷注文する前にプリント物の印刷イメージを掴むことができ、必要に応じて画像データの差し替えやレイアウト変更などを行うこともできる。
【０１０１】
［発明の実施の形態における効果］
１．以上のように、膨大な量の画像データの中から、利用者が主役と指定した人物画像を含む画像データを、予め指定された条件に基づいて容易に抽出し、印刷することができる。
【０１０２】
２．また、撮影日時、撮影条件、および手振れ有無の指定の条件（抽出条件）を予め設定しておくことで、利用者の選択操作の負担を軽減することができる。つまり、利用者が指定する条件は、写真タイプ（集合写真の割合、風景写真の割合、主役アップ写真の割合）のみであって、自分好みに画像データの抽出条件を設定することが可能となる。
【０１０３】
３．また、主役となる人物画像を指定することで、利用者は、所望の画像を容易に抽出することができる。例えば、運動会等の大勢が写る画像の中から主役となる人物を含む画像のみを抽出したり、グループ旅行で撮影した画像の中から友人用と自分用の画像を抽出したりすることができる。
【０１０４】
［変形例］
以上においては、図７に示したような主役選択画面１００を表示させ、利用者に主役となる人物画像を選択させるようにしたが、本実施の形態はこれに限らず、図８に示すフローチャートを実行し、図９に示すような主役選択画面１１０を表示させ、主役となる人物画像を選択させることもできる。尚、図８では、前述の例（図５）と同様の処理を示すステップには同様のステップ番号を付し、重複する説明を省略する。
【０１０５】
図８に示すように、画像出力受付端末１は、前述の例（図５）と同様に、ステップＳ１〜ステップＳ６を実行する。そして、ステップＳ６において、画像出力受付端末１の画像選択部６３は、主役にする人物画像が選択されたと判定した場合、ステップＳ３１に進む。
【０１０６】
図９に示すように、主役選択画面１１０には、表示用画像抽出部６５によって抽出された人物画像Ｐ１１〜Ｐ２３が表示されている。人物画像Ｐ１１〜Ｐ１５は、同一人物として検出された画像であって、その代表画像Ｐ１１が左側に表示されている。また人物画像Ｐ２１〜Ｐ２３も、同一人物として検出された画像であって、その代表画像Ｐ２１が左側に表示されている。また主役選択画面１１０には、主役の画像を選択するための「選択」ボタンＢ１、Ｂ１１、選択を解除するための「削除」ボタンＢ２〜Ｂ５、Ｂ１２、Ｂ１３、画像を追加するための「追加」ボタンＢ６、Ｂ１４、選択した主役の画像を決定するための「決定」ボタン１１１、主役画像の選択をキャンセルするための「キャンセル」ボタン１１２も表示されている。
【０１０７】
ステップＳ３１において、画像出力受付端末１の画像選択部６３は、同一人物として抽出された画像の変更が指示されたか否かを判定し、変更が指示されたと判定した場合、つまり、図９に示した主役選択画面１１０において、「削除」ボタンＢ２〜Ｂ５、Ｂ１２、Ｂ１３、又は、「追加」ボタンＢ６、Ｂ１４が押下された場合、ステップＳ３２に進む。
【０１０８】
ステップＳ３２において、画像出力受付端末１の画像選択部６３は、指定された画像を追加又は削除する。すなわち、「削除」ボタンＢ２〜Ｂ５、Ｂ１２、Ｂ１３が押下された場合、画像出力受付端末１の画像選択部６３は、それぞれ対応する人物画像Ｐ１２〜Ｐ１５、Ｐ２２、Ｐ２３を削除し、「追加」ボタンＢ６、Ｂ１４が押下された場合、更に追加画像の選択画面（図示せず）を表示し、選択画面において選択された画像を追加する。
【０１０９】
例えば、利用者は、図９に示す主役選択画面１１０において、印刷注文する主役の人物画像Ｐ１１を選択する場合、選択ボタンＢ１を選択する。これにより、選択された人物画像Ｐ１１と同一人物として検出された画像Ｐ１２〜Ｐ１５も選択されることになる。利用者は、さらに画像を追加したい場合には、「追加」ボタンＢ６を選択して新たな画像を選択（追加）することができ、既に選択されている画像を削除したい場合には、対応する「削除」ボタンＢ２〜Ｂ５のいずれかを選択する。
【０１１０】
そして、画像出力受付端末１は、前述の例（図５、図６）と同様に、ステップＳ７〜ステップＳ２１を実行し、プリント物の印刷を行う。
【０１１１】
このように、図９に示す主役選択画面１１０では、同一人物として検出されなかった画像の追加や、不必要な画像の削除を容易に行うことができる。
【０１１２】
以上、添付図面を参照しながら、本発明に係る画像出力受付端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１３】
１………画像出力受付端末
１１………タッチパネル付ディスプレイ
３１………制御部
６１………入力制御部
６２………表示制御部
６３………画像選択部
６４………人物画像検出部
６７………印刷画像抽出部
６９………印刷実行部
【図１】
2012150626.tif 000003
【図２】
2012150626.tif 000004
【図３】
2012150626.tif 000005
【図４】
2012150626.tif 000006
【図５】
2012150626.tif 000007
【図６】
2012150626.tif 000008
【図７】
2012150626.tif 000009
【図８】
2012150626.tif 000010
【図９】
2012150626.tif 000011